(57)【特許請求の範囲】
【請求項１】
車両に搭載される機器にボルト締結される端子と、この端子に組み付け固定されたカバーとを備えたカバー付き端子であって、
前記端子は、前記機器に設けられた機器側接続部にボルト締結されるボルト締結部を有し、
前記ボルト締結部には、ボルト締結の際に、前記機器側接続部と係合することにより同ボルト締結部が連れ回りすることを防止する回り止め部が設けられており、
前記カバーは、前記ボルト締結部の締め付け方向後方を開放する開放位置と、前記ボルト締結部を後方から覆う閉止位置との間を変位可能に設けられた覆い部を有し、
前記覆い部には、前記閉止位置に至った際に、前記回り止め部と係止して前記覆い部を前記閉止位置に保持固定する係止部が設けられており、
前記回り止め部は、前記ボルト締結部の締め付け方向と交差する方向に前記ボルト締結部から突出して形成され、前記機器側接続部に設けられた壁部に近接して配されることで、ボルト締結の際に、ボルト締結部が連れ回りする方向に前記壁部と係合するようになっており、
前記係止部は、前記回り止め部の外面に沿うように前記覆い部から前方に向かって延出され、前記回り止め部の先端に前方から係止するカバー付き端子。
【請求項２】
車両に搭載される機器にボルト締結される端子と、この端子に組み付け固定されたカバーとを備えたカバー付き端子であって、
前記端子は、前記機器に設けられた機器側接続部にボルト締結されるボルト締結部を有し、
前記ボルト締結部には、ボルト締結の際に、前記機器側接続部と係合することにより同ボルト締結部が連れ回りすることを防止する回り止め部が設けられており、
前記カバーは、前記ボルト締結部の締め付け方向後方を開放する開放位置と、前記ボルト締結部を後方から覆う閉止位置との間を変位可能に設けられた覆い部を有し、
前記覆い部には、前記閉止位置に至った際に、前記回り止め部と係止して前記覆い部を前記閉止位置に保持固定する係止部が設けられており、
前記回り止め部の先端部は後方に向かって屈曲された屈曲部とされており、
前記係止部は、前記屈曲部よりも前記ボルト締結部側に配され、前記屈曲部に設けられた被係止部に係止されるカバー付き端子。
【請求項３】
前記端子は、前記ボルト締結部と連なる端子本体部を有しており、
前記カバーは、前記端子本体部に組み付け固定されるカバー本体を有しており、
前記覆い部は、前記カバー本体とヒンジを介して連結されることにより、前記ヒンジを中心に前記開放位置と前記閉止位置との間を回動可能とされている請求項１または請求項２に記載のカバー付き端子
【請求項４】
前記端子は、前記ボルト締結部と連なる端子本体部と、前記ボルト締結部から前記端子本体部に亘って連続して設けられることで前記ボルト締結部と前記端子本体部との間を補強する補強部とを有しており、
前記覆い部は、前記補強部に設けられた受孔に同覆い部に設けられた支持軸を嵌合させることで、前記支持軸を中心に前記開放位置と前記閉止位置との間を回動可能とされている請求項１または請求項２に記載のカバー付き端子。
【請求項５】
前記覆い部には、同覆い部が閉止位置に至った際に、前記端子本体部と当接することにより前記覆い部が過度に回動することを防ぐ位置決め部が設けられている請求項４記載のカバー付き端子。
【発明の詳細な説明】
【技術分野】
【０００１】
本発明は、カバーを備えた端子に関する。
【背景技術】
【０００２】
従来、車両に搭載された機器に接続される端子として、下記特許文献１記載のものが知られている。この端子は、機器に設けられた機器側接続部に接続される板状のボルト締結部を有しており、このボルト締結部に設けられたボルト挿通孔にボルトを挿通させてナットを締め込むことにより、ボルト締結部が機器側接続部にボルト締結されるようになっている。
【０００３】
また、上記の端子のボルト締結部には、機器に設けられた係合部に係合可能な回り止め部が設けられており、ボルト締結作業の際に回り止め部が係合部に係合することで端子の連れ回りが防がれている。
【先行技術文献】
【特許文献】
【０００４】
【特許文献１】特開２０００−１６８４６９号公報
【発明の概要】
【発明が解決しようとする課題】
【０００５】
ところで、機器側接続部にボルト締結された端子に対して他の部材が接触することを防ぐためにボルト締結部を覆う合成樹脂製のカバーを端子に組み付けることが検討されている。
【０００６】
ところが、機器側接続部に端子を接続し、カバーを後から端子に組み付ける構成の場合には、端子やカバーなど複数種類の部品を別々に供給する必要があり、部品供給面に対する負担が大きい。だからといって、端子にカバーを組み付けた状態で端子の供給を行う場合、部品供給面の負担は軽減されるものの、ボルト締結部をボルト締結する際に、端子からカバーを取り外す必要があるなど、取り扱いが不便である。
【０００７】
また、機器側接続部の周辺部に機器などが配されている場合には、ボルト締結部の側縁にカバーに設けられた係止片を係止させるスペースを確保することができないなど、ボルト締結部を覆うようにカバーをボルト締結部に固定することができず、その対策が切望されていた。
【０００８】
本発明は上記のような事情に基づいて完成されたものであって、端子からカバーを取り外すことなくボルト締結できるようにすると共に、機器の周辺部のスペースが限られている場合においてもボルト締結部を覆った状態にカバーを固定することを目的とする。
【課題を解決するための手段】
【０００９】
上記の目的を達成するための手段として本発明は、車両に搭載される機器にボルト締結される端子と、この端子に組み付け固定されたカバーとを備えたカバー付き端子であって、前記端子は、前記機器に設けられた機器側接続部にボルト締結されるボルト締結部を有し、前記ボルト締結部には、ボルト締結の際に、前記機器側接続部と係合することにより同ボルト締結部が連れ回りすることを防止する回り止め部が設けられており、前記カバーは、前記ボルト締結部の締め付け方向後方を開放する開放位置と、前記ボルト締結部を後方から覆う閉止位置との間を変位可能に設けられた覆い部を有し、前記覆い部には、前記閉止位置に至った際に、前記回り止め部と係止して前記覆い部を前記閉止位置に保持固定する係止部が設けられており、前記回り止め部は、前記ボルト締結部の締め付け方向と交差する方向に前記ボルト締結部から突出して形成され、前記機器側接続部に設けられた壁部に近接して配されることで、ボルト締結の際に、ボルト締結部が連れ回りする方向に前記壁部と係合するようになっており、
前記係止部は、前記回り止め部の外面に沿うように前記覆い部から前方に向かって延出され、前記回り止め部の先端に前方から係止するところに特徴を有する。
このような構成のカバー付き端子によると、覆い部を開放位置に変位させてボルト締結部をボルト締結することができ、また、ボルト締結後に覆い部を閉止位置に変位させることで端子のボルト締結部を保護できる。これにより、端子からカバーを取り外すことなく、覆い部を開放位置に変位させるだけで機器側接続部にカバー付き端子を接続することができる。
また、覆い部の係止部と回り止め部とを係止させることで覆い部を閉止位置に保持固定できるから、例えば、機器側接続部の周辺部に機器などが配されている場合においても、ボルト締結部を覆った状態に覆い部を固定し、ボルト締結部を保護することができる。
【００１０】
さらに、機器側接続部の壁部と係合する回り止め部の構成を変更することなく、係止部を回り止め部に係止させることができる。つまり、カバーの構成を変更するだけで、回り止め部の構成を変更することなく、覆い部を閉止状態に保持することができる。
【００１１】
また、上記の目的を達成するための手段として本発明は、車両に搭載される機器にボルト締結される端子と、この端子に組み付け固定されたカバーとを備えたカバー付き端子であって、前記端子は、前記機器に設けられた機器側接続部にボルト締結されるボルト締結部を有し、前記ボルト締結部には、ボルト締結の際に、前記機器側接続部と係合することにより同ボルト締結部が連れ回りすることを防止する回り止め部が設けられており、前記カバーは、前記ボルト締結部の締め付け方向後方を開放する開放位置と、前記ボルト締結部を後方から覆う閉止位置との間を変位可能に設けられた覆い部を有し、前記覆い部には、前記閉止位置に至った際に、前記回り止め部と係止して前記覆い部を前記閉止位置に保持固定する係止部が設けられており、前記回り止め部の先端部は後方に向かって屈曲された屈曲部とされており、前記係止部は、前記屈曲部よりも前記ボルト締結部側に配され、前記屈曲部に設けられた被係止部に係止される構成としてもよい。
このような構成によると、係止部が回り止め部よりもボルト締結部側に配されているから、ボルト締結部とは反対側から他の部材が係止部に接触するなどして係止部と被係止部との係止が解除されたり、係止部が損傷したりすることを抑制することができる。
本発明の実施の態様として、以下の構成が好ましい。
【００１２】
前記端子は、前記ボルト締結部と連なる端子本体部を有しており、前記カバーは、前記端子本体部に組み付け固定されるカバー本体を有しており、前記覆い部は、前記カバー本体とヒンジを介して連結されることにより、前記ヒンジを中心に前記開放位置と前記閉止位置との間を回動可能とされている構成としてもよい。
このような構成によると、端子本体をカバー本体で保護しつつ、ボルト締結に必要な部分のみを開放してボルト締結を行うことできる。これにより、他の部材が端子本体部に接触するなどして端子本体部が破損することを防ぐことができる。
【００１３】
前記端子は、前記ボルト締結部と連なる端子本体部と、前記ボルト締結部から前記端子本体部に亘って連続して設けられることで前記ボルト締結部と前記端子本体部との間を補強する補強部とを有しており、前記覆い部は、前記補強部に設けられた受孔に同覆い部に設けられた支持軸を嵌合させることで、前記支持軸を中心に前記開放位置と前記閉止位置との間を回動可能とされている構成としてもよい。
このような構成によると、補強部に設けた受孔に覆い部の軸部を嵌合させることで、覆い部を回動可能にしつつ、カバーを端子に保持固定させることができる。これにより、例えば、端子によりカバーを保持する機能と覆い部を回動させる機能との双方の機能を個別に設ける場合に比べて、端子およびカバーの構造を簡素化することができる。
【００１４】
前記覆い部には、同覆い部が閉止位置に至った際に、前記端子本体部と当接することにより前記覆い部が過度に回動することを防ぐ位置決め部が設けられている構成としてもよい。
このような構成によると、覆い部が閉止位置よりも過度に回動することを防ぐことができる。これにより、覆い部が過度に回動して係止部が他の部材に接触するなど係止部が損傷することを抑制することができる。
【発明の効果】
【００１５】
本発明によれば、端子からカバーを取り外すことなくボルト締結できるようにすると共に、機器の周辺部のスペースが限られている場合においてもボルト締結部を覆った状態にカバーを固定することができる。
【図面の簡単な説明】
【００１６】
【図１】実施形態１にかかるカバー付き端子の平面図
【図２】同正面図
【図３】同側面図
【図４】図１のＡ−Ａ線断面図
【図５】カバー付き端子を機器側接続部にボルト締結した状態を示す平面図
【図６】カバー付き端子を機器側接続部にボルト締結した状態を示す正面図
【図７】図５のＢ−Ｂ線断面図
【図８】覆い部を開放位置に配した状態を示す断面図であって、図７の断面に相当する断面図
【図９】端子の平面図
【図１０】カバーの平面図
【図１１】同底面図
【図１２】端子にカバーを組み付ける前の状態を示す正面図
【図１３】端子にカバーを組み付ける前の状態を示す側面図
【図１４】端子にカバーを組み付ける前の状態を示す断面図であって、図７の断面に相当する断面図
【図１５】実施形態２にかかるカバー付き端子の平面図
【図１６】同正面図
【図１７】図１５のＣ−Ｃ線断面図
【図１８】カバー付き端子を機器側接続部にボルト締結した状態を示す断面図
【図１９】覆い部を開放位置に配した状態を示す断面図
【発明を実施するための形態】
【００１７】
＜実施形態１＞
本発明の実施形態１について図１乃至図１４を参照して説明する。
本実施形態は、図５乃至図７に示すように、車両に搭載されたオルタネータなどの発電機（「機器」に相当する）８０に設けられた機器側接続部８１にボルト締結されるカバー付き端子１０を例示している。なお、以下の説明において、上下方向とは図２における上下方向を基準とし、本実施形態における「上方」がボルト締結の「締め付け方向後方」に相当する。また、前後方向については、図３における図示左側を前側とし、図示右側を後側として説明する。
【００１８】
機器側接続部８１は、図５乃至図７に示すように、カバー付き端子１０が上方から載置される載置部８２と、載置部８２の幅方向両側に設けられた一対の囲部８３と、載置部８２の前方に設けられた一対の回転防止壁（「壁部」に相当する）８４とを備えて構成されている。
載置部８２は、略円形状をなす平坦な載置面８２Ａの中央から略円筒状のスタッドボルト８５が上方に向かって立ち上がった形態をなしている。載置部８２の両側縁には、図５に示すように、載置部８２を幅方向両側から取り囲む囲部８３が設けられている。
一対の回転防止壁８４は、幅方向に対向する形態とされ、各回転防止壁８４は一対の囲部８３の前端部に連設されている。
【００１９】
カバー付き端子１０は、図１および図３に示すように、電線Ｗの端末に接続されて発電機８０に接続される端子２０と、端子２０に上方（締め付け方向後方）から組み付け固定されるカバー４０とを備えて構成されている。
端子２０は、図９に示すように、機器側接続部８１にボルト締結されるボルト締結部２１と、電線Ｗの端末に接続される電線接続部２２と、ボルト締結部２１と電線接続部２２との間を前後方向に繋ぐ端子本体部２３と、ボルト締結部２１から端子本体部２３に亘って幅方向両側縁に設けられた一対の周壁（「補強部」に相当する）２４とを備えて構成されている。
【００２０】
ボルト締結部２１は、図９に示すように、平板の略円形状をなし、ボルト締結部２１の中央には、機器側接続部８１のスタッドボルト８５が下方から挿通されるボルト挿通孔２１Ａが上下方向に貫通して形成されている。このボルト挿通孔２１Ａにスタッドボルト８５を下方から挿通してボルト締結部２１を載置部８２の載置面８２Ａに上方から載置し、例えばソケットレンチＳによってナットＮをスタッドボルト８５に上方（「締め込み方向後方」に相当する）から下方に向かって締め込むことによりボルト締結部２１が機器側接続部８１にボルト締結されるようになっている（図７参照）。
【００２１】
ボルト締結部２１の前端部には、図９に示すように、前方（ボルト締結部の締め付け方向と交差する方向）に突出する回り止め部２５が形成されている。回り止め部２５は、図３および図７に示すように、ボルト締結部２１から前方に真っ直ぐ延出され、前端部が下方に屈曲した屈曲部２６とされている。屈曲部２６は、ボルト締結部２１が載置面８２Ａに載置されると、図５および図８に示すように、載置部８２の前端面に沿って配されると共に、一対の回転防止壁８４の間に配され、一対の回転防止壁８４と幅方向に近接した状態となる。これにより、スタッドボルト８５にナットＮを締め込む際に、回転防止壁８４に対して回り止め部２５が幅方向（ボルト締結が連れ回りする方向）に当接し、ボルト締結部２１の連れ回りが防止される。
【００２２】
電線接続部２２は、図１および図３に示すように、電線Ｗの端末において露出された芯線Ｗ１に圧着されるワイヤバレル２２Ａと、電線Ｗの絶縁被覆Ｗ２に圧着されるインシュレーションバレル２２Ｂとを電線Ｗが延びる前後方向に連ねた形態とされている。
端子本体部２３は、図９および図１３に示すように、ボルト締結部２１の後端縁と電線接続部２２の底板おける前端縁とに連なるようにして形成されており、ボルト締結部２１よりも幅狭で前後方向に長い形態をなしている。
【００２３】
一対の周壁２４は、ボルト締結部２１の前後方向略中央部から端子本体部２３の前後方向略中央部まで連続して形成されており、一対の周壁２４がボルト締結部２１と端子本体部２３との境界部分を補強している。
端子本体部２３における周壁２４のうち前半分は、後半分よりも上下方向に高い前側周壁２４Ａとされており、前側周壁２４Ａには、幅方向に貫通する略矩形状の係止孔２９がそれぞれ設けられている。
【００２４】
カバー４０は、図１および図３に示すように、ボルト締結部２１を上方から覆う覆い部４１と、端子本体部２３において一対の周壁２４が設けられた領域を上方から覆うカバー本体４２とを備えて構成されている。
覆い部４１は、図１０乃至図１４に示すように、上端部が閉塞された略円筒状に形成されている。覆い部４１の前端部は、ボルト締結部２１の回り止めに対応するようにやや前方に張り出した形態をなしており、覆い部４１の後端部は、幅方向に真っ直ぐ切り欠かれることにより後方に開口した形態とされている。
【００２５】
カバー本体４２は、箱形状をなし、端子本体部２３の上面と上下方向に対向する略矩形状の天井壁４４と、端子本体部２３の幅方向両側を覆うように天井壁４４の幅方向両側縁に設けられた一対の側壁４５と、天井壁４４の後端縁と一対の側壁４５の後端縁とによって囲まれた領域を閉塞する後壁４７とを備えて構成されている。
【００２６】
天井壁４４の幅方向略中央部には、図１１に示すように、前後方向に対向する一対の位置決め片５０が設けられている。
一対の位置決め片５０は、天井壁４４から下方に向けて延出された平板状に形成されており、一対の位置決め片５０は、同位置決め片５０の幅方向略中央部を前後方向に繋ぐ連結部５１によって補強されている。また、位置決め片５０および連結部５１は、カバー本体４２が端子本体部２３に対して正規の位置まで組み付けられると、図７に示すように、端子本体部２３の上面に当接し、カバー４０を正規の高さ位置に位置決めするようになっている。
【００２７】
天井壁４４における一対の側壁４５の内側には、図４、図７および図１１に示すように、一対の前側周壁２４Ａに係止することでカバー本体４２を端子本体部２３に固定する一対の固定片４８が設けられている。
一対の固定片４８は、天井壁４４から下方に向けて延出されており、幅方向に対向する形態とされている。一対の固定片４８の間隔は、図４に示すように、カバー本体４２が端子本体部２３に組み付けられた際に、一対の周壁２４が内側に緊密に嵌まり込む大きさとされている。また、各固定片４８の先端には、端子本体部２３に対してカバー本体４２が正規の位置に組み付けられた際に、幅方向外側から係止孔２９に嵌まり込む係止爪４９が設けられている。
【００２８】
係止爪４９は、その下面が固定片４８の下端部から上方に向かうほど内側に向かって傾斜した形態とされており、その上面が係止孔２９の上側内面２９Ａに下方から係止する係止面４９Ａとされている。そして、端子２０にカバー４０を組み付ける過程では、係止爪４９が前側周壁２４Ａに乗り上げることで固定片４８が外側に弾性変位し、端子本体部２３に対してカバー本体４２が正規の位置に組み付けられると、係止爪４９が係止孔２９に嵌まり込んで固定片４８が弾性復帰する。これにより、係止孔２９の上側内面２９Ａに固定片４８の係止面４９Ａが下方から係止し、端子本体部２３にカバー本体４２が保持固定される。
【００２９】
さて、覆い部４１とカバー本体４２とは、図１、図３、図７および図８に示すように、ヒンジ５２を介して一体に連結されている。詳細には、ヒンジ５２は、覆い部４１およびカバー本体４２の幅寸法よりも幅狭で、かつ覆い部４１の天井壁４４の板厚よりも薄く形成されており、覆い部４１の上端後縁における幅方向略中央部とカバー本体４２の天井壁４４における前端縁の幅方向略中央部とを前後方向に一体に連結している。そして、覆い部４１は、このヒンジ５２を中心に、覆い部４１の上面とカバー本体４２の上面とが面一となってボルト締結部２１を上方から覆う閉止位置（図７参照）と、ヒンジ５２が後方に屈曲され覆い部４１とカバー本体４２とが上下方向に対向した状態となることでボルト締結部２１の上方を開放する開放位置（図８参照）との間を回動可能とされている。
【００３０】
これにより、端子２０を機器側接続部８１にボルト締結する際には、ヒンジ５２を中心に覆い部４１を開放位置に回動変位させ、ボルト締結部２１を載置部８２に載置してソケットレンチＳなどによってナットＮをスタッドボルト８５に締め込むことによりボルト締結部２１を機器側接続部８１に接続することができる。また、ボルト締結後、覆い部４１を閉止位置に回動変位させることで、ボルト締結部２１とスタッドボルト８５の上方を覆い部４１によって覆うことができる。
【００３１】
また、覆い部４１の前端下部には、図２、図３および図７に示すように、端子２０の回り止め部２５と係止することで覆い部４１を閉止位置に保持固定する係止片（「係止部」に相当する）５３が設けられている。
係止片５３は、覆い部４１の前端面から僅かに前方に張り出した形態で下方に延出されており、前後方向に弾性変位可能とされている。また、係止片５３の下端部には後方に突出する係止突起５４が設けられており、覆い部４１が開放位置から閉止位置に至る過程において、係止突起５４が回り止め部２５の屈曲部２６に乗り上げることで係止片５３が前方に弾性変位し、覆い部４１が閉止位置に至ると、係止片５３が弾性復帰して回り止め部２５における屈曲部２６の前面に沿うように配され、係止突起５４が屈曲部２６の下面に下方から係止する。これにより、覆い部４１が閉止位置に留められるようになっている。
【００３２】
また、係止片５３の上端部には、前方に突出する操作部５５が設けられており、この操作部５５を上方に押し上げるように操作することで屈曲部２６の下面と係止突起５４との係止が解除され、覆い部４１を閉止位置から開放位置へと回動変位させることができるようになっている。
【００３３】
本実施形態のカバー付き端子１０は、以上のような構成であって、次に電線Ｗの端末に接続された端子２０にカバー４０を組み付ける手順を説明し、続けて、カバー付き端子１０を発電機８０の機器側接続部８１にボルト締結する手順を説明すると共に、その作用効果を説明する。なお、本実施形態では、カバー４０を端子２０に固定する前に、端子２０に電線Ｗが接続された構成としたが、例えば、端子２０にカバー４０を固定した後に、端子２０に電線を接続してもよい。
【００３４】
まず、図１２乃至図１４に示すように、端子２０の上方にカバー４０を配置し、カバー４０を端子２０に上方から組み付ける。この組み付け過程では、一対の固定片４８の係止爪４９が前側周壁２４Ａの外側上縁に当接して前側周壁２４Ａに乗り上げ、固定片４８が外側に弾性変位する。そして、端子本体部２３にカバー本体４２が正規位置に組み付けられると、図４に示すように、係止爪４９が係止孔２９に嵌まり込んで固定片４８が弾性復帰し、係止爪４９の係止面４９Ａが係止孔２９の上側内面２９Ａに下方から係止することで、カバー本体４２が端子本体部２３に保持固定される。また、このとき、覆い部４１を閉止位置に配置することで、図７に示すように、係止片５３の係止突起５４が回り止め部２５の屈曲部２６における下面に下方から係止し、覆い部４１が閉止位置に保持される。
これにより、端子２０にカバー４０が確実に保持固定されカバー付き端子１０が完成する。
【００３５】
次に、カバー付き端子１０を発電機８０の機器側接続部８１にボルト締結する。ボルト締結の際には、まず、覆い部４１の操作部５５を上方に押し上げるように操作して屈曲部２６の下面と係止突起５４との係止を解除し、図８に示すように、覆い部４１を閉止位置から開放位置へと変位させる。これにより、カバー４０からボルト締結部２１が露出されボルト締結部２１の上方が開放された状態となる。
【００３６】
次に、ボルト締結部２１のボルト挿通孔２１Ａにスタッドボルト８５を挿通させて、載置部８２の載置面８２Ａ上にボルト締結部２１を載置する。
そして、ソケットレンチＳによってナットＮをスタッドボルト８５に締め付けてボルト締結部２１を載置部８２にボルト締結する。ここで、本実施形態によると、覆い部４１が開放位置に配され、ボルト締結部２１の上方が開放されているから、端子２０からカバー４０を取り外すことなく、図８に示すように、ボルト締結部２１と機器側接続部８１とを電気的および機械的に容易に接続することができる。
【００３７】
ボルト締結部２１と機器側接続部８１とが接続されたところで、図３および図７に示すように、覆い部４１を開放位置から閉止位置に回動変位させる。この回動変位過程では、係止片５３の係止突起５４が回り止め部２５の屈曲部２６に乗り上げることで係止片５３が前方に弾性変位し、覆い部４１が閉止位置に至ると、係止片５３が弾性復帰して回り止め部２５における屈曲部２６の前面に沿って配され、係止突起５４が屈曲部２６の下面に下方から係止する。これにより、覆い部４１が閉止位置に保持され、ボルト締結部２１およびスタッドボルト８５が上方から覆い部４１によって覆われることで、ボルト締結された部分が他の部材から保護される。
【００３８】
以上のように、本実施形態のカバー付き端子１０によると、ボルト締結部２１の上方を覆う覆い部４１とカバー本体４２とをヒンジ５２を介して連結しているから、覆い部４１を開放位置に変位させることでボルト締結部２１をボルト締結することができ、また、ボルト締結後に覆い部４１を閉止位置に変位させることでボルト締結部２１を保護することができる。
【００３９】
すなわち、端子２０からカバー４０を取り外すことなく機器側接続部８１に端子２０を接続することができる。また、例えば、端子２０にカバー４０を固定した後に電線Ｗを接続する構成の場合、カバー付き端子１０を部品供給する際には、端子２０やカバー４０を別々に供給することなく、端子２０とカバー４０とを組み付けた状態で供給できるから、端子とカバーとを別々に供給する場合に比べて、部品供給面に対する負担を小さくすることができる。
また、本実施形態によると、覆い部４１のみを開放位置に変位させることができるから、他の部材から端子本体部２３を保護しつつ、ボルト締結部２１のみを露出させてボルト締結を行うことできる。これにより、他の部材が端子本体部２３に接触するなどして端子本体部２３が破損することを防ぐことができる。
【００４０】
また、本実施形態のように、囲部８３によって包囲されることでボルト締結部２１の外周部分にスペースを確保できなかったとしても、覆い部４１には、ボルト締結部２１に設けられた回り止め部２５と係止することで覆い部４１を閉止位置に保持する係止片５３が設けられているから、覆い部４１を閉止位置に保持することができ、ひいては、ボルト締結部２１を他の部材から確実に保護することができる。
【００４１】
また、本実施形態によると、回り止め部２５の前面に沿わせるようにして係止片５３を配し、回り止め部２５における屈曲部２６の下面に係止突起５４を下方から係止させるようにしたから、回り止め部２５の形状を変更することなく、覆い部４１を閉止位置に保持することができる。つまり、例えば、係止突起が係止される係止枠などを回り止め部に別途設ける場合に比べて、端子２０の構造を簡素化することができると共に、端子２０の加工費が増加することを抑制することができる。
【００４２】
＜実施形態２＞
次に、本発明の実施形態２について図１５乃至図１９を参照して説明する。
実施形態２のカバー付き端子１１０は、実施形態１における端子２０の周壁２４および回り止め部２５と、カバー４０の形状を変更したものであって、実施形態１と共通する構成、作用、および効果については重複するため、その説明を省略する。また、実施形態１と同じ構成については同一の符号を用いるものとする。
【００４３】
実施形態２における端子１２０の回り止め部１２５は、図１８および図１９に示すように、ボルト締結部２１から前方に真っ直ぐ延出され、前端部が上方に屈曲した屈曲部１２６とされている。
屈曲部１２６は、ボルト締結部２１が載置面８２Ａに載置されると、一対の回転防止壁８４の間に配され、一対の回転防止壁８４と幅方向に近接した状態となるように設定されている。また、屈曲部１２６には、図１６および図１８に示すように、前後方向に貫通する略矩形状の被係止孔１３０が形成されている。
端子１２０における端子本体部２３の周壁１２４は、図１８および図１９に示すように、周壁１２４のうち後端部に位置する後側周壁１２４Ａが前側の周壁１２４に比べて上下方向に高く形成されており、後側周壁１２４Ａには、幅方向に貫通する円形状の受孔１２９がそれぞれ設けられている。
【００４４】
一方、カバー１４０は、図１５、図１８および図１９に示すように、ボルト締結部２１と端子本体部２３における一対の周壁１２４が設けられた領域とを一括して覆う前後方向に長い覆い部１４１を有しており、実施形態１と異なり、カバー本体が設けられていない形態とされている。
覆い部１４１の後端部における幅方向両側壁１４５には、図１７に示すように、端子２０の受孔１２９に嵌合させることで、覆い部１４１を回動可能に支持する支持軸１５６が設けられており、覆い部１４１は、この支持軸１５６を中心にボルト締結部２１の上方を覆う閉止位置（図１８参照）と、ボルト締結部２１の上方を開放する開放位置（図１９参照）との間を回動可能とされている。
また、覆い部１４１の前端部は、図１５および図１８に示すように、回り止め部１２５の屈曲部１２６よりも後方に位置しており、覆い部１４１の前端下部には、屈曲部１２６の被係止孔１３０に後方から嵌まり込んで被係止孔１３０の上側内面と係止することにより覆い部４１を閉止位置に保持する係止片１５３が設けられている。
係止片１５３は、覆い部１４１の前端面から前方に突出した形態をなし、前後方向に弾性変位可能とされている。また、係止片１５３は、覆い部４１が開放位置から閉止位置に至る過程において、屈曲部２６の後面に乗り上げることで後方に弾性変位し、覆い部４１が閉止位置に至ると、被係止孔１３０に嵌まり込んで弾性復帰することにより、覆い部１４１を閉止位置に保持するようになっている。
【００４５】
すなわち、本実施形態によると、後側周壁１２４Ａにそれぞれ設けられた一対の受孔１２９に覆い部１４１の一対の支持軸１５６を嵌合させることで、覆い部１４１を回動可能にしつつ、カバー１４０を端子１２０に保持固定させることができる。つまり、端子によりカバーを保持する機能と覆い部を回動させる機能との双方の機能を個別に設ける場合に比べて、端子１２０およびカバー１４０の構造を簡素化することができ、ひいては、カバー付き端子１１０の製造コストを低減させることができる。
また、本実施形態によると、係止片１５３が回り止め部１２５よりも後側(ボルト締結部２１側）に配されているから、前方から他の部材が係止片１５３に接触するなどして被係止孔１３０から係止片１５３が外れたり、係止片１５３が損傷したりすることを抑制することができる。
また、本実施形態によると、覆い部１４１が閉止位置に至ると、図１８に示すように、位置決め片５０が端子本体部２３の上面に当接し、覆い部１４１が閉止位置よりも過度に回動することを防ぐことができる。これにより、覆い部１４１が過度に回動して係止片１５３が回り止め部１２５に接触して損傷することを抑制することができる。
【００４６】
＜他の実施形態＞
本発明は上記記述及び図面によって説明した実施形態に限定されるものではなく、例えば次のような実施形態も本発明の技術的範囲に含まれる。
（１）上記実施形態１では、下方に屈曲された屈曲部２６に係止片５３が下方から係止し、上記実施形態２では、上方に屈曲された屈曲部１２６の被係止孔１３０に係止片１５３が後方から嵌まり込む構成としたが、本発明はこのような態様に限定されるものではなく、例えば、実施形態１における屈曲部と係止片との係止構造と、実施形態２における屈曲部と係止片との係止構造とが互いに入れ替わった構成にしてもよい。
（２）上記実施形態１では、ヒンジ５２が覆い部４１の後端縁における幅方向略中央部に形成された構成としたが、本発明はこのような態様に限定されるものではなく、例えば、ヒンジが覆い部の後端縁の全幅に亘って形成された構成にしてもよく、ヒンジが覆い部の幅方向両端部の二箇所に形成された構成にしてもよい。
（３）上記実施形態では、ボルト締結部２１の前端部に回り止め部２５，１２５が設けられ、覆い部４１，１４１の前端部に係止片が設けられた構成としたが、本発明はこのような態様に限定されるものではなく、例えば、機器側接続部の構造に対応して、回り止め部や係止片がボルト締結部や覆い部の幅方向の一側部に設けられるように構成してもよい。
（４）上記実施形態では、覆い部４１，１４１が閉止位置と開放位置との間を回動する構成としたが、本発明はこのような態様に限定されるものではなく、例えば、覆い部を幅方向や前後方向にスライドさせることで、覆い部がボルト締結部を覆う閉止位置とボルト締結部の上方を開放する開放位置との間を変位する構成にしてもよい。
（５）上記実施形態では、ボルト締結部２１をスタッドボルト８５が設けられた載置部８２に載置し、ナットNをスタッドボルト８５に締め付けることによりボルト締結部２１が機器側接続部８１にボルト締結される構成としたが、本発明はこのような態様に限定されるものではなく、例えば、ナットが固定された載置部にボルトを締め込むことによりボルト締結部が機器側接続部にボルト締結される構成にしてもよい。
【符号の説明】
【００４７】
１０，１１０：カバー付き端子
２０，１２０：端子
２１：ボルト締結部
２３：端子本体部
２４，１２４：周壁（補強部）
２５，１２５：回り止め部
２６，１２６：屈曲部
４０，１４０：カバー
４１，１４１：覆い部
４２：カバー本体
５０：位置決め片（位置決め部）
５２：ヒンジ
５３，１５３：係止片（係止部）
８０：発電機（機器）
８１：機器側接続部
８４：回転防止壁（壁部）
１２９：受孔
１３０：被係止孔（被係止部）
１５６：支持軸
【図１】
0006040881.tif 000002
【図２】
0006040881.tif 000003
【図３】
0006040881.tif 000004
【図４】
0006040881.tif 000005
【図５】
0006040881.tif 000006
【図６】
0006040881.tif 000007
【図７】
0006040881.tif 000008
【図８】
0006040881.tif 000009
【図９】
0006040881.tif 000010
【図１０】
0006040881.tif 000011
【図１１】
0006040881.tif 000012
【図１２】
0006040881.tif 000013
【図１３】
0006040881.tif 000014
【図１４】
0006040881.tif 000015
【図１５】
0006040881.tif 000016
【図１６】
0006040881.tif 000017
【図１７】
0006040881.tif 000018
【図１８】
0006040881.tif 000019
【図１９】
0006040881.tif 000020